(57)【要約】【課題】リラックスし易い姿勢（仰向け）において、刺激時に腕力を使わずに頭上部・肩上部のツボに対して頭方向から足方向へ押圧刺激を与えることができ、後頚部の筋肉（特に半棘筋・板状筋）にある多くのツボに押圧刺激が与えられ、それらの押圧刺激の強弱調節を容易に行うことが出来るツボ押し健康器具の実現を目的とする。【解決手段】健康器具本体基礎部材１がツボ押し部材固定用長穴（床面）４とツボ押し部材固定用長穴（垂直面）５を有する二面構造であり首用安定使用面８を有し、連結プレート９使用により健康器具本体基礎部材１の複数連結ができ、ツボの部位や体格に合わせて健康器具本体基礎部材１に対して着脱可能であるツボ押し部材７、連結プレート９、高さ調節チップ１２を備えたことを特徴とする。【選択図】図３
0003158394.tif 000002
【実用新案登録請求の範囲】
【請求項１】
本考案に係るツボ押し健康器具の健康器具本体基礎部材を健康器具本体床面とそれに対して垂直に面する健康器具本体垂直面の二面からなる略Ｌ字型に成型し、その二面それぞれに在るツボ押し部材固定用穴を長穴にしたことと、ツボの部位や体格に応じ健康器具本体基礎部材に対して固定が可能であるパーツとしてツボ押し部材固定用四角ボルトで着脱をする硬度の異なる素材で造られた数種のツボ押し部材と連結プレート固定用長ネジ穴を有する連結プレート固定用皿ネジと板ナットで固定が出来る連結プレートと高さ調節チップを備えたこと、そして首用安定使用面を備えたことを特徴とするツボ押し健康器具。
【考案の詳細な説明】
【技術分野】
【０００１】  本考案は、使用者が自身のからだのツボ押し刺激をする際に、からだのツボに押し当て自身の体重をかけることによって指圧・マッサージと同様の効果を得られる、ツボ押し健康器具に関する。
【背景技術】
【０００２】  従来のツボ押し健康器具は、手動で実施する略Ｊ字状ロッドでからだの表面を押す器具や、突起の付いた形状の器具を床に置き、自身がその突起の上に乗りツボに当て、重心を乗せることによって刺激を加える器具があった。【０００３】  例えば、略Ｊ字状ロッドで自身の腕力を用いて自身のからだの表面を押すことが可能な器具（例えば、特許文献１参照）や突起の付いた形状の器具（例えば、特許文献２参照）を床面に置き自身がその突起の上に乗りツボに当て、重心を乗せることによって刺激を加えるように構成された器具があった。
【先行技術文献】
【特許文献】
【０００４】
【特許文献１】特開平成０９−１０８２８５
【特許文献２】特開平成０９−２５３１５７
【考案の概要】
【考案が解決しようとする課題】
【０００５】  以上に述べた従来の器具に関してそれぞれ問題点を挙げると、まず特許文献１の器具は基本的に自身の腕力を用いるので、押そう押そうと意識しているため心理的にリラックスすることが困難であった。つまり自身の体重（重心）をかけて使用する器具に比べて頭上部や肩上部、その他様々な部位を押すのは容易であるが、腕力の乏しい方は押す部位に充分な強さの刺激を加える事が困難であり、また心理的にリラックスしていない為に筋肉はほぐれにくいものであった。
特許文献２に関しては、からだの表面との接触面が平面（一面）構造であるため、床に置いて使用する場合には頭上部や肩上部のツボに対して頭方向から足方向へ押圧刺激をすることが困難であった（仮に頭上部や肩上部のツボ押し刺激をするとなると本人が逆立ちでもしないと刺激を与えることが出来ない）。また床面からの垂直な刺激だけでは後頚部（特に半棘筋や板状筋）にあるツボに対して実施者が楽な姿勢で好みの強度または丁度良い角度で刺激をすることが狭い範囲でしか実施出来なかった。【０００６】  本考案はこのような従来の構成が有していたそれぞれの問題を解決しつつ、刺激時に腕力を使わずにリラックスした状態またリラックスし易い姿勢（仰向け）で、頭上部や肩上部にあるツボに対して頭方向から足方向へ、また後頚部（特に半棘筋や板状筋）にある多くのツボに強刺激も弱刺激も与えられるツボ押し健康器具の実現を目的とするものである。
【課題を解決するための手段】
【０００７】  本考案は、前記の課題を解決するため、以下の構成を採用した。【０００８】  本考案に係るツボ押し健康器具の健康器具本体基礎部材を健康器具本体床面とそれに対して垂直に面する健康器具本体垂直面の二面からなる略Ｌ字型に成型する。そしてツボ押し部材を固定するツボ押し部材固定用長穴を健康器具本体床面に１つ、健康器具本体垂直面に１つで計２つのツボ押し部材固定用長穴を設ける。ツボ押し部材にはボルトで固定が出来るようにネジ穴が空いている。ツボ押し部材固定用長穴はツボ押し部材を固定するため、また使用するボルトのヘッドが健康器具本体基礎部材から飛び出て使用時に邪魔にならぬように２段構造であり、ツボ押し部材固定用長穴（床面）とツボ押し部材固定用長穴（垂直面）の内端は首用安定使用面から同じ距離の位置に存する。また、ツボ押し部材固定用長穴に対してはツボ押し部材をどの位置にも固定が出来る形状である。ツボ押し部材固定用穴が長穴である理由としては、ツボ押し部材の固定位置の移動が出来れば、実施者の体格差の影響を受けずにツボ押し刺激をしたい部位に対して容易に当てることが出来るからである。仮に長穴では無く丸（短）穴である場合には実施者の体格の影響を受け易く、複数点の好みのツボの位置に対して同時に刺激をすることが困難である。【０００９】  健康器具本体床面の長さは健康器具本体垂直面よりも長く構成している。それに伴いツボ押し部材固定用長穴（床面）の長さはツボ押し部材固定用長穴（垂直面）よりも長く構成している。理由は、健康器具本体垂直面に固定したツボ押し部材に頭上部または肩上部等を当てた場合には健康器具本体床面またはツボ押し部材固定用長穴（床面）に固定されたツボ押し部材こそが健康器具本体基礎部材の動揺を無くすようにするための支持部位として機能をするので、仮に健康器具本体床面の長さが健康器具本体垂直面よりも短く構成された場合またはツボ押し部材固定用長穴（床面）の長さがツボ押し部材固定用長穴（垂直面）よりも短く構成された場合には実施時に動揺が激しく圧力伝達のロスが生じ充分な強度のツボ押し刺激が出来ず、不都合だからである。【００１０】  ツボ押し部材固定用長穴（床面）の両端には連結プレートを固定出来るようにするため、板ナットはめ込み用溝を設ける。また連結プレートを健康器具本体基礎部材に固定できるようにするためのパーツとして板ナットと皿ネジを設けて着脱を可能にする。
連結プレートに設けるネジ穴は肩幅や頭の大きさ、首の太さ等体格差の影響を受けずに健康器具本体基礎部材に固定が出来るように長穴とする。
連結プレートが着脱式である理由の一つは本考案に係るツボ押し健康器具の健康器具本体基礎部材は連結をせずに１つからでも機能をするからである。二つ目の理由は仮に連結した状態が完成品であり分解が困難な場合は不使用時に嵩張り、携帯をして出先での使用をと考えている方にとっては不便だからである。
ツボ押し部材固定用長穴（床面）の両端の２箇所に板ナットはめ込み用溝を構成する理由は１箇所では不安定であり、２箇所の間が狭いと動揺しやすくツボ押し部材固定時に邪魔になる場合があるからである。【００１１】  ツボ押し部材はボルトによる着脱式であり、ツボ押し部材の高さを調節出来るように間に入れるための高さ調節チップを設ける。高さ調節チップの中心にはボルトの外径が通る穴の空いた構造である。ツボ押し部材はボルトを用いた着脱式にすれば長穴間での移動も容易であり、高さ調節チップの着脱も容易に可能である。
本考案に係るツボ押し健康器具の場合は使用をする場所の床面の硬度が柔軟である場合にはツボ押し健康器具全体が沈み、からだのツボに対しツボ押し部材の圧力が充分に伝わらない場合が考えられる。その問題を解決するために高さ調節チップを設ける。
また、ツボ押し部材固定用長穴（床面）に固定するツボ押し部材の高さは使用時に高ければからだのツボにかかる圧力が強くなり、低ければからだのツボにかかる圧力は弱くなる。つまり高さ調節チップをツボ押し部材の下に固定すれば強刺激で高さ調節チップ不使用であれば弱刺激になり、強弱刺激量の調節にも利用が出来る。その他、より多くの感受性の方が使用しても好みの強度で刺激を与えられるように硬質の樹脂製の素材で造られたツボ押し部材から軟質のラテックスやシリコン等の素材で造られたツボ押し部材を構成する。【００１２】  首や頭を後方から左右２点で挟むようにツボ押し刺激をするために首用安定使用面を設ける。特許文献２の器具のように単に床面からの垂直な刺激では後頚部（特に半棘筋や板状筋）にあるツボに対して実施者が楽な姿勢で充分な強度または丁度良い角度で刺激をすることが狭い範囲でしか実施をすることが出来なかったが、本考案に係るツボ押し健康器具においては後頚部（特に半棘筋や板状筋）にあるツボに対して実施者が楽な姿勢で好みの強度または丁度良い角度で広範囲に刺激をすることを可能にする。
【考案の効果】
【００１３】本考案に係るツボ押し健康器具の大まかな構成としては特許文献２のような床面設置型の実施形態をとっているので、使用時には腕力を使わずにリラックスした状態またリラックスし易い姿勢（仰向け）で実施をすることができる。また、健康器具本体基礎部材を健康器具本体床面とそれに対して垂直に面する健康器具本体垂直面の二面からなる略Ｌ字型に成型してあり、ツボ押し部材を固定するツボ押し部材固定用長穴を健康器具本体床面に１つ、健康器具本体垂直面に１つで計２つのツボ押し部材固定用長穴を設けたことにより頭上部や肩上部にあるツボに対して頭方向から足方向への押圧刺激を可能にした。
ツボ押し部材固定用穴を長穴にしたのでツボ押し部材を同時に複数点のツボに当て易くなり、体格差による使用感の相違（例えば体格の小さな方には丁度良い位置のツボ押し刺激は出来るが、体格の大きな方に対してはツボに当たりもしない等の不具合）が解消された。
また、ツボ押し部材を着脱式にしてツボ押し部材の下にセットが可能なパーツとして高さ調節チップを設けたことにより、硬度の異なる素材でつくられた数種のツボ押し部材の交換や高さ調節チップの有無で高さ調節が出来るので刺激の強弱調節が可能になった。
連結プレートを使い健康器具本体基礎部材の複数連結が出来るので全体の動揺が減り、ツボに対して圧力が伝わり易いようになった。また、首用安定使用面を使用した実施法により後頚部（特に半棘筋や板状筋）にあるツボに対して実施者が楽な姿勢で好みの強度または丁度良い角度で広範囲に刺激をすることができる。
【図面の簡単な説明】
【００１４】
【図１】本考案に係るツボ押し健康器具の健康器具本体基礎部材を示す斜視図。
【図２】本考案に係るツボ押し健康器具の健康器具本体基礎部材にツボ押し部材を固定した状態を示す斜視図。
【図３】本考案に係るツボ押し健康器具の健康器具本体基礎部材を２つ連結しツボ押し部材を固定、そしてツボ押し部材固定用長穴（床面）に固定したツボ押し部材の下には高さ調節チップを固定した状態を示す斜視図。
【図４】本考案に係るツボ押し健康器具の健康器具本体基礎部材に固定させることの出来るパーツを示す斜視図。
【図５】本考案に係るツボ押し健康器具の健康器具本体基礎部材に高さ調節チップとツボ押し部材を固定させた場合の断面図。
【図６】本考案に係るツボ押し健康器具の健康器具本体基礎部材にツボ押し部材を固定させた場合の断面図。
【図７】本考案に係るツボ押し健康器具の健康器具本体基礎部材に連結プレートを固定させた場合の断面図。
【図８】本考案に係るツボ押し健康器具の頭上部と後頚部の２点ツボ押し刺激の実施形態を示す側面図。
【図９】本考案に係るツボ押し健康器具の肩上部と背部の２点ツボ押し刺激の実施形態を示す側面図。
【図１０】本考案に係るツボ押し健康器具の後頚部の左右２点のツボ押し刺激を示す平面図１。
【図１１】本考案に係るツボ押し健康器具の後頚部の左右２点のツボ押し刺激を示す平面図２。
【考案を実施するための形態】
【００１５】  本考案に係るツボ押し健康器具の実施形態を、図面に基づいて説明する。
【００１６】  使用法は大きく分けて３通りある。
一つ目は本考案に係るツボ押し健康器具の可能にする頭上部と後頚部の２点ツボ押し刺激〔図８〕また肩上部と背部の２点ツボ押し刺激〔図９〕のように実施する使用法。
二つ目は〔図１０〕〔図１１〕のように首用安定使用面８を使用した実施法で後頚部（特に半棘筋や板状筋）にあるツボに対して刺激をする使用法。
三つ目は特許文献２のように従来通りの使用法、例えば〔図２〕〔図３〕において、ツボ押し部材固定用長穴（垂直面）５にはツボ押し部材７を固定しないでツボ押し部材固定用長穴（床面）４にあるツボ押し部材７のみでツボ押し刺激をする使用法がある。この方法に関しては、広範囲でのツボ押し刺激が可能ではあるが、健康器具本体垂直面３が邪魔になり特許文献２の実施方法に劣るので特筆は控える。
【００１７】  一つ目の実施形態を説明する。
まず、本考案に係るツボ押し健康器具のツボ押し部材固定用長穴（床面）４とツボ押し部材固定用長穴（垂直面）５に〔図６〕のようにツボ押し部材７をツボ押し部材固定用四角ボルト１３で固定する。ツボ押し部材固定用長穴（床面）４とツボ押し部材固定用長穴（垂直面）５は〔図５〕〔図６〕のようにツボ押し部材固定用四角ボルト１３のボルトヘッドが収まるように２段穴構造になっているので、ボルトをツボ押し部材固定用長穴に差し込んだ後に四角ボルト用ネジ穴１５にはめて、ツボ押し部材７の方を廻し入れる事により工具は不要で〔図２〕のようにツボ押し部材７を固定することが出来る。
【００１８】  大雑把に頭上部と後頚部の２点または肩上部と背部の２点にツボ押し部材７をさせてから、座位でツボに当てながらゆっくりと仰向けになり健康器具本体床面２を使用場所の床面に接地させる。後頚部又は背部でツボ押し部材固定用長穴（床面）４に固定したツボ押し部材７に圧力を加え（ツボを刺激しながら）、健康器具本体基礎部材１を支える。そのあとに、頭上部または肩上部にもツボ押し部材固定用長穴（垂直面）５に固定してあるツボ押し部材７からの刺激が加わるように全身を頭方向に体重（重心）移動をする〔図８〕〔図９〕頭方向への体重（重心）移動の方法としては、膝を深く曲げて足底を使用場所の床面に接地させてから蹴り上げるようにすると体重が頭方向にかかり充分な圧力を与えることが出来る。その後は膝を曲げたままにするなり伸ばすなり、とにかく楽な姿勢をとる。最初に大雑把にツボ押し部材７を固定しているので押したいツボの位置とのズレや刺激の強弱の不具合を感じるようであれば座位へと戻りツボ押し部材７の位置の微調整や他素材への交換、もしくは高さ調節チップ１２の有無を決めたあと再び仰向けになり、充分な強度または丁度良い角度で刺激をするまで同様の動作を繰り返す。
後頚部または背部の刺激は必要とせず頭上部又は肩上部のみのツボ押し刺激を行う場合には、ツボ押し部材固定用長穴（床面）４にはツボ押し部材７を固定せずに健康器具本体床面２のみを後頚部又は背部で支持をしてツボ押し部材固定用長穴（垂直面）５に固定してあるツボ押し部材７のみに体重（重心）をかけてツボ押し刺激をすることも出来る。
【００１９】  使用法や体格差により異なる頭の高さが少しでも楽な高さになるように、頭の下に枕１６や健康器具本体床面２と使用場所の床面の間に枕１６を設置するとよりリラックスできる。またツボの刺激角度の微調整にも役立てることが出来る。
【００２０】  次に、使用感を安定させるための健康器具本体基礎部材１の連結を説明する。
健康器具本体基礎部材１を複数連結（図３は健康器具本体基礎部材１を２つ連結した状態を示すが、連結プレート固定用長ネジ穴１０の長さの分、つまり３つ以上の連結も可能）して使う場合は連結プレート９を使用する。
方法はまず、板ナットはめ込み用溝６に板ナット１１をはめて〔図７〕のように連結プレート固定用皿ネジ１４を使用し、ドライバー等の工具を用いて固定する。
左右の肩上部を刺激する場合は左右のツボ押し部材固定用長穴（垂直面）５に固定したツボ押し部材７の間に首が収まる幅以上で連結プレート９を固定する。ツボ押し部材固定用長穴（床面）４に固定されているツボ押し部材７は背中のツボに刺激をするので間隔は連結プレート固定用長ネジ穴１０の範囲で広くも狭くも設定できる。
健康器具本体基礎部材１を二つ連結して頭上部の刺激をする場合は一方のツボ押し部材固定用長穴（床面）４またツボ押し部材固定用長穴（垂直面）５に固定したツボ押し部材７ともう一方のツボ押し部材固定用長穴（床面）４またツボ押し部材固定用長穴（垂直面）５に固定したツボ押し部材７との間隔は連結プレート固定用長ネジ穴１０の範囲で広くも狭くも設定できる。
健康器具本体基礎部材１を複数連結して実施する場合も基本的には上述〔００１８〕〔００１９〕内で述べた実施法を行い、複数のツボ押し部材７のすべてが希望の位置のツボに当たるよう連結プレート固定用長ネジ穴１０の固定位置の調節も含めて使用する。
【００２１】  二つ目の実施形態はまずツボ押し部材固定用長穴（床面）４とツボ押し部材固定用長穴（垂直面）５共に１つずつツボ押し部材７を固定する。この実施方法では健康器具床面２を使用場所の床面に接地をして使用するのではなく、首用安定使用面８が床に接地するように使用する。
【００２２】  まず、大雑把に後頚部（主に半棘筋や板状筋）の左右２点に当たるようにツボ押し部材固定用長穴（床面）４とツボ押し部材固定用長穴（垂直面）５に首用安定使用面８から同じ距離の位置にツボ押し部材７を固定させる。次に座位でツボに当てながらゆっくりと仰向けになり首用安定使用面８を使用場所の床面に接地させる〔図１０〕〔図１１〕。そして頭部と頚部の重心を乗せてツボに圧力をかけて刺激をする。最初に大雑把にツボ押し部材７を固定しているので押したいツボの位置とのズレや刺激の強弱の不具合を感じたら座位へと戻りツボ押し部材７の位置の微調整や他素材への交換、もしくは高さ調節チップ１２の有無を決めたあと再び仰向けになり、充分な強度または丁度良い角度で刺激が出来るまで同様の動作を繰り返す。
【００２３】  この場合も体格差により異なる頭の高さが少しでも楽な高さになるように、頭の下または首用安定使用面８と使用場所の床面の間に枕１６を設置するとよりリラックスでき、ツボの刺激角度の微調整にも役立てることが出来る。
【００２４】  仰向けで寝た場合、使用場所床面に対して背部・腰部の多くは平面であるのに比べ、後頚部は主に曲面である。そしてその頚部後方の曲面を取り巻くように半棘筋や板状筋が存在する。仰向けで後頚部（特に半棘筋や板状筋）に充分な刺激が出来る理由としては、二つ目の使用法の場合、ツボ押し部材７が後頚部を使用場所床面に対して斜め４５度で左右両側から挟むように刺激をするため、特許文献２の器具のように使用場所床面から後頚部の一部分を垂直にしか刺激することが出来ない（仰向けになり、頚部を捻った状態で使用すればツボに当たることは当たるが、捻った状態では後頚部の筋肉が収縮した状態になり刺激が伝わりにくいのと同時に、楽な姿勢とは言えない）ものに対して、本考案に係るツボ押し健康器具は楽な姿勢で後頚部（特に半棘筋や板状筋）の多くのツボに刺激を与えることが出来る。
【符号の説明】
【００２５】  １  健康器具本体基礎部材
２  健康器具本体床面
３  健康器具本体垂直面
４  ツボ押し部材固定用長穴（床面）
５  ツボ押し部材固定用長穴（垂直面）
６  板ナットはめ込み用溝
７  ツボ押し部材
８  首用安定使用面
９  連結プレート
１０  連結プレート固定用長ネジ穴
１１  板ナット
１２  高さ調節チップ
１３  ツボ押し部材固定用四角ボルト
１４  連結プレート固定用皿ネジ
１５  四角ボルト用ネジ穴
１６  枕
【図１】
0003158394.tif 000003
【図２】
0003158394.tif 000004
【図３】
0003158394.tif 000005
【図４】
0003158394.tif 000006
【図５】
0003158394.tif 000007
【図７】
0003158394.tif 000008
【図８】
0003158394.tif 000009
【図９】
0003158394.tif 000010
【図１０】
0003158394.tif 000011
【図１１】
0003158394.tif 000012
【手続補正書】
【提出日】平成22年1月29日(2010.1.29)
【手続補正１】
【補正対象書類名】図面
【補正対象項目名】図５
【補正方法】変更
【補正の内容】
【図５】
0003158394.tif 000013
【手続補正２】
【補正対象書類名】図面
【補正対象項目名】図６
【補正方法】追加
【補正の内容】
【図６】
0003158394.tif 000014